(57)【要約】      （修正有）【課題】部品の点数をより少なくした時計ケースを提供する。【解決手段】胴部３と、第１の割出し手段１ａを設けた第１の円筒１と、独特な印Ｓを前面４’に有するキャップ４および時計のムーブメントに連結することを意図した軸受け筒５を含む制御竜頭Ｃと、胴部３に固定され、かつ軸受け筒５を受けるように構成された第２の円筒２とを備える時計ケースであって、制御竜頭Ｃおよび第１の円筒１が、互いに螺合するためのそれぞれのねじ込み手段１ｂ、４ｂを含む時計ケースにおいて、胴部３に固定された第２の割出し手段３ａが、第１の円筒１の第１の割出し手段1ａと協働するように設けられており、第２の円筒２を胴部３に固定することによって、第１の円筒１が胴部３に対して軸方向に確実に固定されるように、第１の円筒１および第２の円筒２が適合されることを特徴とする、時計ケース。【選択図】図１
2013101122.tif 000002
【特許請求の範囲】
【請求項１】
胴部（３）と、
第１の割出し手段（１ａ）を設けた第１の円筒（１）と、
独特な印（Ｓ）を前面（４’）に有するキャップ（４）および時計のムーブメントに連結することを意図した軸受け筒（５）を含む制御竜頭（Ｃ）と、
前記胴部（３）に固定され、かつ前記軸受け筒（５）を受けるように構成された第２の円筒（２）と
を備え、
前記制御竜頭（Ｃ）および前記第１の円筒（１）が、互いに螺合するためのそれぞれのねじ込み手段（１ｂ、４ｂ）を含む時計ケースであって、
前記胴部（３）に固定された第２の割出し手段（３ａ、３ａ’、３ａ’’）が、前記第１の円筒（１）の前記第１の割出し手段（１ａ）と協働するように設けられており、
前記第２の円筒（２）を前記胴部（３）に固定することによって、前記第１の円筒（１）が前記胴部（３）に対して軸方向に確実に固定されるように、前記第１の円筒（１）および前記第２の円筒（２）が適合されることを特徴とする、時計ケース。
【請求項２】
前記第１の円筒（１）が、前記第２の円筒（２）に設けられた第２の支承面（２ｃ）に接触する第１の支承面（１ｃ）を有する、請求項１に記載の時計ケース。
【請求項３】
前記第１の支承面（１ｃ）が、内側の肩部によって構成されており、前記第２の支承面（２ｃ）が、外側の肩部（２ｃ）によって構成されている、請求項２に記載の時計ケース。
【請求項４】
前記第２の円筒（２）が、前記胴部（３）内に押し込まれるように構成されており、前記第２の支承面（２ｃ）が、前記第１の支承面（１ｃ）に当接する、請求項２または３に記載の時計ケース。
【請求項５】
前記第２の円筒（２）が、前記胴部（３）内にねじ込まれるように構成されており、前記第２の支承面（２ｃ）が、前記第１の支承面（１ｃ）に当接する、請求項２または３に記載の時計ケース。
【請求項６】
前記第２の円筒（２）が、適切な工具を使用して前記第２の円筒（２）のねじを締めるまたは緩めることを可能にする手段（２ｅ）を備える、請求項５に記載の時計ケース。
【請求項７】
前記手段（２ｅ）が、前記制御竜頭（４）と同一の端部に設けられた歯部によって構成さる、請求項６に記載の時計ケース。
【請求項８】
前記第１のおよび第２の割出し手段（１ａ、３ａ、３ａ’、３ａ’’）が、軸方向に相互係合するように適合された歯部によって構成されている、請求項１から７のいずれか一項に記載の時計ケース。
【請求項９】
前記第２の割出し手段（３ａ、３ａ’）が、前記胴部（３）内に設けられる、請求項１から８のいずれか一項に記載の時計ケース。
【請求項１０】
前記第２の割出し手段（３ａ’’）が、前記胴部（３）に固定されるリング（６）上に位置する、請求項１から７のいずれか一項に記載の時計ケース。
【請求項１１】
前記第１の円筒（１）が、前記胴部（３）内に形成された停止面（３ｄ、３ｄ’）に当接するように構成された当接面（１ｄ）を有する、請求項１から１０のいずれか一項に記載の時計ケース。
【請求項１２】
前記第１の円筒（１）の前記ねじ込み手段（１ｂ）が、外部のねじ山によって構成されており、前記制御竜頭（Ｃ）の前記ねじ込み手段（４ｂ）が、前記制御竜頭（Ｃ）に設けられた環状凹部に形成された内部のねじ山によって構成されている、請求項１から１１のいずれか一項に記載の時計ケース。
【請求項１３】
請求項１から１２のいずれか一項に記載の時計ケースを組み立てる方法であって、
制御竜頭（Ｃ）のキャップ（４）を、第１の円筒（１）に十分にねじ込むステップと、
前記キャップ（４）の前面（４’）の印（Ｓ）を、胴部（３）に対して特定の姿勢で配向するステップと、
前記第１の部分（１）の第１の割出し手段、特に歯部（１ａ）を、前記胴部（３）に固定された第２の割出し手段、特に、前記胴部（３）に固定された歯部（３ａ、３ａ’、３ａ’’）の軸方向にスライドさせることによって、前記第１の円筒（１）の自由端を前記胴部（３）に挿入するステップと、
前記第１の円筒（１）を前記胴部（３）に保持した状態で、前記キャップ（４）のねじを前記第１の円筒（１）から緩めるステップと、
前記第２の円筒（２）を前記第１の円筒（１）に挿入するステップと、
前記停止面（３ｄ）、特に前記胴部（３）の停止面または前記胴部に固定されたリング（６）の前記停止面（３ｄ’）に接触する前記当接面（１ｄ）、特に前記円筒（１）の当接面によって軸方向に固定されるまで、前記第２の円筒（２）のねじを締めるステップと、
前記キャップ（４）を前記第１の円筒（１）に十分にねじ込むステップと
を含む方法。
【請求項１４】
請求項１３に記載の組立て方法を使用して製造される、時計ケース。
【請求項１５】
請求項１から１２または１４のいずれか一項に記載の時計ケースを備える、特に腕時計などの計時器。
【発明の詳細な説明】
【技術分野】
【０００１】
本発明は、前面に独特な印を備えた竜頭であって、ねじを緩め、次いでねじを締めた際に、常にその最初の向きに戻るという具体的な特徴をもつ竜頭を備える時計ケースに関する。本発明はまた、そのような時計ケースを組み立てる方法に関する。本発明はまた、そのようなケースを有する計時器、とりわけ時計、特に腕時計に関する。本発明はさらに、この組立て方法を使用して製造されるケースに関する。
【背景技術】
【０００２】
時計ケースにねじ込まれる竜頭を製造および装着することが、よく知られている。
【０００３】
しかしながら、竜頭の外側部分の外表面が、独特な印を特徴としている場合、美観上の理由で、その独特な印は、竜頭がねじ込まれる時計ケースの円筒の縦軸に対して特定の角度配向で位置することが好ましい。そうでないと、その独特な印の角度位置は無作為となる。
【０００４】
公開された特許文献１には、キャップ、３つの別個の円筒および止めナットで構成されたねじ込み竜頭が記載されている。
【０００５】
第１の円筒は、竜頭に連結し、かつ第２の円筒にねじ込まれており、第３の円筒は、第２の円筒を受けるように構成されており、第２の円筒および第３の円筒は、割出し手段を有する。
【０００６】
第３の円筒は、周縁部の内側に設けられ、第２の円筒の鋸歯付きリングと協働するように配置された内部歯部を備えている。第２の円筒および第３の円筒は、リングによって並進が固定され、第１の円筒に関連付けられた竜頭がねじ込まれる配向可能な外部のねじ山を有するサブアセンブリになる。
【０００７】
角度配向は一度で完全に固定され、第２の円筒および第３の円筒にある歯部の数に直接関連しており、また割出し位置の数は、これらの円筒の直径が小さいために必然的に制限される。さらに、この解決策は３つの円筒を必要とし、適合しにくい。
【０００８】
さらに、過度のトルクが竜頭にかかる場合、竜頭および円筒が時計ケースから外れる危険性がある。
【０００９】
この竜頭の欠点は、２０１１年４月２８日に出願され、この出願後、ＷＯ２０１１／１３７５４４の番号で公開された特許文献２において提案された解決策によって克服されている。この国際出願の主題は、２つの部分、すなわち内側部分と外側部分で構成された制御竜頭を備える時計ケースであり、この外側部分は、クランプリングによって内側部分に保持される必要がある。
【先行技術文献】
【特許文献】
【００１０】
【特許文献１】欧州特許出願２１８２４１７明細書
【特許文献２】国際出願ＰＣＴ／ＣＨ２０１１／００００９４明細書
【発明の概要】
【発明が解決しようとする課題】
【００１１】
本発明の主たる目的は、少なくとも上記の国際出願に記載のものと同程度の満足度であり、部品の点数をより少なくした時計ケースを提案することである。
【課題を解決するための手段】
【００１２】
この目的は、胴部と、第１の割出し手段を設けた第１の円筒と、独特な印を前面に有するキャップおよび時計のムーブメントに連結することを意図した軸受け筒を含む制御竜頭と、胴部に固定され、かつ軸受け筒を受けるように構成された第２の円筒とを備え、制御竜頭および第１の円筒が、互いに螺合するためのそれぞれのねじ込み手段を含む時計ケースによって達成され、この時計ケースは、胴部に固定された第２の割出し手段が、第１の円筒の第１の割出し手段と協働するように設けられており、第２の円筒を胴部に固定することによって、第１の円筒が胴部に対して軸方向に確実に固定されるように、第１の円筒および第２の円筒が適合されるという具体的な特徴を有する。
【００１３】
本発明の好ましい実施形態において、利用可能な専用の工具をもつ操作者のみが竜頭の最初の角度割出しを修正できるような手段が設けられる。
【００１４】
本発明によれば、時計ケースは請求項１によって定義される。
【００１５】
時計ケースの種々の実施形態は、請求項２から１２または１４によって定義される。
【００１６】
本発明による組立て方法は、請求項１３によって定義される。
【００１７】
本発明による計時器は、請求項１５によって定義される。
【００１８】
次に、本発明の他の特徴および利点について、添付の図面を参照しながら以降の開示において詳細に説明する。
【図面の簡単な説明】
【００１９】
【図１】本発明の第１の実施形態による時計ケースの軸対称の制御竜頭Ｃを示す、軸に沿った部分断面図である。
【図２】図１の時計ケースの制御竜頭Ｃおよび第１の円筒を左側から見た斜視図である。
【図３】図１の時計ケースを右側から見た斜視図である。
【図４】第２の円筒がない、組み立て途中の図１の時計ケースを右側から見た軸断面斜視図である。
【図５】第１の円筒が軸方向に位置しており、第２の円筒およびキャップを組み立てる前の、図１の時計ケースを右側から見た軸断面斜視図である。
【図６】キャップが回して緩められている、図１の時計ケースを右側から見た軸断面斜視図である。
【図７】本発明の第１の実施形態による時計ケースの変形形態を示す部分軸断面図である。
【図８】中央の割出し手段の変形形態を示す、右側から見た斜視図である。
【図９】図８の変形形態を含む本発明の時計ケースを右側から見た断面図である。
【図１０】本発明の第２の実施形態の時計ケースを示す部分軸断面図である。
【発明を実施するための形態】
【００２０】
本発明の第１の実施形態を図１〜６に表している。
【００２１】
本発明による時計ケースは、第１の円筒１が胴部バンドにあいた貫通穴に取り付けられた胴部３を有する。この円筒の回転は、その周縁部の一部に位置し、かつ周方向に配置された、図２においてはっきりと視認できる円筒上の歯部１ａによって妨げられ、歯部のそれぞれは、軸方向に延び、胴部３にその外側から穴をあけて作られた、図３においてはっきりと視認できる歯部３ａ間で軸方向に相互係合する。
【００２２】
第１の円筒１を胴部３に対して軸方向に固定することは、第２の円筒２の相補的な外側の肩部によって形成される第２の支承面２ｃを支える第１の支承面１ｃを形成する内側の肩部によって達成される。円筒２は、第１の円筒１の内部軸端を環状密封部７に押し付け、同時に、当接面１ｄ（図４）を、胴部３の穴に設けられた停止面３ｄに押し付けるように、胴部３に十分にねじ込まれる。したがって、胴部３に設けられた当接面１ｄおよび停止面３ｄの協働、特に障害物タイプ協働によって、第１の円筒１は胴部３に対して軸方向に確実に固定される。第１の支承面１ｃおよび第２の支承面２ｃの協働、特に障害物タイプまたは接触タイプの協働によって、第１の円筒１は胴部３に対して軸方向の反対方向において確実に固定される。
【００２３】
第２の円筒２は、図５において視認でき、かつ第２の円筒２の外部軸端に設けられた歯部２ｅと相互係合するように構成された特別な工具を用いてねじ込まれるのが好ましい。
【００２４】
第１の円筒は、その周縁部上の一部に、制御竜頭Ｃのキャップ４に設けられた環状凹部内に作られた内部のねじ山４ｂと協働する外部のねじ山１ｂをさらに備える。外から見えるキャップ４の前面４’は、ブランドまたはロゴなどの独特な印Ｓである。
【００２５】
図２から明らかなように、制御竜頭Ｃの内側は、上記の環状凹部の中心に、既知の手段によって時計のムーブメントに連結され、第２の円筒２内の軸方向に収納および誘導される軸受け筒５を有し、軸受け筒５は第２の円筒２の中をスライドする（図１参照）。
【００２６】
作用
制御竜頭Ｃは一般に、時計ケースに以下のように取り付けられている。
環状密封部７は胴部３の穴内に配置され、
制御竜頭Ｃのキャップ４は、割出しが達成された後、すなわち印Ｓの向きが選択された後、第１の円筒１に十分にねじ込まれ、得られた組立体が胴部３の穴に挿入され、これにより、第１の円筒１の歯部１ａは、胴部３の歯部３ａの間に軸方向にスライドされ（図４）、
次いでキャップ４は、第１の円筒１の向きを維持するように第１の円筒１を胴部３の穴に保持した状態で、円筒１から緩められ（図５）、
第２の円筒２は次いで円筒１（図５および図６）に挿入され、胴部３の停止面３ｄに接触する当接面１ｄによって第１の円筒１が軸方向に固定されるまで、胴部３の穴に十分にねじ込まれ、このとき、第１の支承面１ｃと第２の支承面２ｃ、また第１の円筒１の内部軸端と環状密封部７も接触し、
第２の環状密封部８は、使用される場合には、第２の円筒２の外部軸端と第１の円筒１の内部軸端の間にある円筒１の内部に配置され、
第３の環状密封部９は、使用される場合には、キャップ４内の環状凹部の一端の中に配置され、
軸受け筒５は次いで、時計のムーブメントに連結され、またキャップ４は、第１の円筒１にねじ込まれ、ねじ込まれた後、印Ｓが正しく配向される。すなわち印Ｓは、第１の円筒１の角度位置決め、配置、および軸方向の固定のときに決定されたように配向される。
【００２７】
したがって、ねじを緩め、また締めるたびに、その後、印Ｓが正しく配向されることになるという意味で、制御竜頭Ｃはその向きを維持することになる。
【００２８】
第２の円筒２の周りの第１の円筒１は、円筒２から突き出ており、使用者が第２の円筒２に接し、そのねじを緩めるのは容易ではない。歯部２ｅが第２の円筒２の内側または外側の端に設けられている場合、適切な工具をもつ適格な時計製造業者のみが第２の円筒２のねじを緩めることができる。
【００２９】
図７において、第１の実施形態の変形形態が示されており、この中で、密封部を強化するために、環状密封部１０が、外部のねじ山１ｂが作られる第１の円筒１の周縁部の外側に作られた環状溝に配置されている。
【００３０】
図８および図９において、胴部３の歯部３ａの変形形態が示されている。
【００３１】
これらの図から分かるように、ここで機械加工して作られる歯部３ａ’は、特に図３において視認できる歯部３ａよりも少ない歯部（ここでは３つの歯部）を備えている。
【００３２】
図１０において、本発明の第２の実施形態が示されており、この中で、歯部３ａを胴部３に直接設ける代わりに、胴部３の穴に押し込むこと（または任意の他の適切な手段）によって固定されているリング６上に歯部３ａ’’が作られており、さらに、胴部３は第１の実施形態におけるものよりも大きな直径の凹部を有する。また、当接面３ｄ’がリング６内に作られる。歯部３ａ’’および当接面３ｄ’は、その対応する３ａおよび３ｄと同様に機能する。したがって、本実施形態において、リング６に設けられた当接面１ｄおよび停止面３ｄ’の協働、特に障害物タイプの協働によって、第１の円筒１は胴部３に対して軸方向に確実に固定される。第１の支承面１ｃおよび第２の支承面２ｃの協働、特に障害物タイプまたは接触タイプの協働によって、第１の円筒１は胴部３に対して軸方向の反対方向において確実に固定される。
【００３３】
その他の変形
上記の実施形態に修正を加えることももちろん可能である。
【００３４】
たとえば、内部のねじ山を制御竜頭Ｃ内に設け、対応する外部のねじ山を第１の円筒１上に設けるのではなく、その逆が可能である（特に、外部のねじ山を軸受け筒５上に設け、対応する内部のねじ山を第１の円筒１内に設ける）。
【００３５】
さらに、第２の円筒２は、胴部３にねじ込む代わりに、たとえば中に押し込むなど異なる方法で胴部３に固定してもよい。この場合、円筒２の幾何形状は、たとえば溝を加えることによって、胴部から取り外すことを可能にするように適合される。
【００３６】
上記の実施形態に表されている第１および第２の割出し手段（１ａ、３ａ、３ａ’、３ａ’’）は、周方向に配置され、それぞれがその各部材上の軸方向に延びる歯部の形をとる。縁に沿って周方向に配置され、その各部材上の半径方向に延びる歯部によって同じ効果を実現することが十分に可能である。
【００３７】
図７、８および９の変形を第２の実施形態に適用することも可能である。
【００３８】
上記の実施形態における環状密封部の配置は、時計ケースの密封を保証するために最適化されている。当業者は、配置および／またはこれらの継ぎ目の数を要件および設計上の選択肢に従って適合させることができる。
【００３９】
本発明の一実施形態の計時器は、有利には、上記の実施形態および変形形態のうちのいずれかによる時計ケースを備え得る。
【００４０】
本明細書において、「独特な印」という表現は、その回転軸周りの竜頭の向きを区別することができるようにする、竜頭にある視認できる任意の要素を意味する。竜頭の隆起または溝は、そのような任意の要素から除外してもよい。言い換えれば、「独特な印」という表現は、竜頭が回転体の形状を持たなくするための、竜頭にある視認できる任意の要素を意味する。独特な印は特に、竜頭上のマークを含むことがあり、そのマークは、竜頭へ材料を大きく追加することまたは竜頭から材料を取り除くことなく作られたものであってもよい。
【図１】
2013101122.tif 000003
【図２】
2013101122.tif 000004
【図３】
2013101122.tif 000005
【図４】
2013101122.tif 000006
【図５】
2013101122.tif 000007
【図６】
2013101122.tif 000008
【図７】
2013101122.tif 000009
【図８】
2013101122.tif 000010
【図９】
2013101122.tif 000011
【図１０】
2013101122.tif 000012
【外国語明細書】
2013101122000001.pdf
2013101122000002.pdf
2013101122000003.pdf
2013101122000004.pdf